(57)【要約】【課題】  電線の抜去作業が容易な電線接続用コネクタ【解決手段】  芯線Ｗ１に電気的に接続する弾性接続片３０と、電線Ｗを挿入する電線挿入口１１１、これに連設する電線収容室１１２を有し、弾性接続片３０が電線収容室１１２の基板側に組み付けられるハウジング１０と、を備える電線接続用コネクタ１であって、ハウジング１０が電線収容室１１２の挿入方向前方にスライダ収容室１１４と、スライダ収容室１１４で挿入方向に沿って前後方向に移動可能に収容されたスライダ２０とを備え、弾性接続片３０が基部３１０と、基部３１０から反基板側に切り起こされた切り起こし片３２２とを備え、切り起こし片３２２は挿入完了位置にある芯線Ｗ１の周面に付勢力をもって当接することで芯線に電気的に接続するとともに、それを保持し、スライダ２０は移動可能な範囲の所定位置で付勢力を取り除くか又は弱める作用を有する付勢力解除手段を備える。【選択図】図４
2014044926.tif 000002
【特許請求の範囲】
【請求項１】
電線の芯線に電気的に接続する接続端子と、前記電線を挿入する電線挿入口、この電線挿入口に連設する電線収容室を有し、前記接続端子が前記電線収容室の基板側に組み付けられるハウジングと、を備える電線接続用コネクタであって、
前記ハウジングが前記電線収容室の前記挿入方向前方にスライダ収容室と、このスライダ収容室で前記挿入方向に沿って前後方向に移動可能に収容されたスライダとを備え、
前記接続端子が板状に広がる基部と、この基部から反基板側に切り起こされた切り起こし片とを備え、
前記切り起こし片は挿入完了位置にある前記芯線の周面に付勢力をもって当接することで前記芯線に電気的に接続するとともにそれを保持し、
前記スライダは前記移動可能な範囲の所定位置で前記付勢力を取り除くか又は弱める作用を有する付勢力解除手段を備え、
前記電線を抜去するとき前記スライダを前記付勢力解除位置に合わせて前記電線を抜去することに特徴を有する電線接続用コネクタ。
【請求項２】
前記スライダは前記挿入方向前方へ移動するとき、前記切り起こし片に当接し、前記付勢力解除位置で前記切り起こし片を前記基板側に傾かせる当接部を備えるところに特徴を有する請求項１記載の電線接続用コネクタ。
【請求項３】
前記電線が前記電線収容室に挿入されるとき、前記スライダは前記後方位置に合わせられ、前記芯線が前記切り起こし片の先端部に当たり、前記先端部の切断面が前記芯線の周面に食い込む態様で弾接するところに特徴を有する請求項２記載の電線接続用コネクタ。
【請求項４】
前記電線が前記電線収容室から抜去されるとき、前記スライダは前記挿入方向前方の前記付勢力解除位置に合わせられ、前記スライダに備わる当接部が前記切り起こし片を傾かせ、前記付勢力を解除するところに特徴を有する請求項２又は３記載の電線接続用コネクタ。
【請求項５】
前記スライダは前記挿入方向と反対方向へ移動するとき、前記切り起こし片に当接し、前記付勢力解除位置で前記切り起こし片を前記基板側に傾かせる当接部備えるところに特徴を有する請求項１記載の電線接続用コネクタ。
【請求項６】
前記電線が前記電線収容室に挿入されるとき、前記スライダは前記前方位置に合わせられ、前記芯線が前記切り起こし片の先端部に当たり、前記先端部の切断面が前記芯線の周面に食い込む態様で弾接するところに特徴を有する請求項５記載の電線接続用コネクタ。
【請求項７】
前記スライダはその一部を前記ハウジングの外周面に露出させ、前記スライダの一部を操作部とするところに特徴を有する請求項１から６のうち一項記載の電線接続用コネクタ。
【請求項８】
前記スライダは一つの電線に対して前記挿入方向に沿って筒状に延びる一つの前記芯線収容室を有し、この収容室の基板側の底面に前記切り起こし片が立ち上がり、且つ前記前後方向の移動を可能にするためのスリットを有し、このスリットの前記後方端あるいは前記前方端に前記当接部を備えるところに特徴を有する請求項２から７のうち一項記載の電線接続用コネクタ。
【発明の詳細な説明】
【技術分野】
【０００１】
本発明は、電線接続用コネクタに関し、詳しくは、電線を容易に抜去可能な電線接続用コネクタに関する。
【背景技術】
【０００２】
従来の電線接続用コネクタには、電線の抜去作業を容易にするための技術がいくつか知られている。たとえば特許文献１記載の技術によれば、電線挿入時、鉤状の端子が付勢力を芯線に当て対向するハウジングの側壁を利用して芯線を挟持するものである。端子の屈曲部分には付勢力を制御するための装置が備わり、この装置は端子に対して芯線挟持位置と芯線解除位置との取るべき位置の選択が可能であり、電線を抜去するときには、この装置を芯線解除位置に合わせて抜去するものである。この方法によれば、電線の抜去時芯線を挟持する力は解除されているので、抜去作業は容易に行なえる。
【０００３】
しかし、この装置は挟持力を解除するための解除部品とこれに付勢力を作用させるためのスプリングコイルとを備えていて、電線接続時には解除部品が芯線挟持位置にあり、解除部品を芯線解除位置に合わせるためにはスプリングコイルの付勢力に抗する力を要し、且つこの作業には、別途先の細くなった専用治具を使用するものである。さらにコイルスプリングや解除部品などを組み込むためにコネクタは背が高くなり、装置自体の大型化を招くおそれがある。
低背化を可能にする方法として特許文献２記載の技術があるが、やはりこの技術の場合も、電線の抜去作業では別途治具の使用が予定されている。
【先行技術文献】
【特許文献】
【０００４】
【特許文献１】特開平８−７９３９号公報
【特許文献２】特開２０１０−２３８５１８号公報
【発明の概要】
【発明が解決しようとする課題】
【０００５】
本発明は、このような事情に鑑みて、次にあげるうちの少なくとも何れか一つを目的とするものである。ひとつの目的は、電線の抜去作業が容易な電線接続用コネクタを提供することである。また別の目的は、簡単な機構によって前記目的を達成する電線接続用コネクタを提供することである。
【課題を解決するための手段】
【０００６】
上記課題を解決するため、本発明の電線接続用コネクタは、（１）電線の芯線に電気的に接続する接続端子と、前記電線を挿入する電線挿入口、この電線挿入口に連設する電線収容室を有し、前記接続端子が前記電線収容室の基板側に組み付けられるハウジングと、を備える電線接続用コネクタであって、前記ハウジングが前記電線収容室の前記挿入方向前方にスライダ収容室と、このスライダ収容室で前記挿入方向に沿って前後方向に移動可能に収容されたスライダとを備え、前記接続端子が板状に広がる基部と、この基部から反基板側に切り起こされた切り起こし片とを備え、前記切り起こし片は挿入完了位置にある前記芯線の周面に付勢力をもって当接することで前記芯線に電気的に接続するとともにそれを保持し、前記スライダは前記移動可能な範囲の所定位置で前記付勢力を取り除くか又は弱める作用を有する付勢力解除手段を備え、前記電線を抜去するとき前記スライダを前記付勢力解除位置に合わせて前記電線を抜去することに特徴を有するものである。
【０００７】
この発明によれば、電線接続用コネクタは、スライダを付勢力解除位置以外の位置に合わせることによって、切り起こし片が芯線を保持し電気的接続をすることができ、スライダを付勢力解除位置に合わせ、付勢力解除手段を作用させることで、別途治具を準備することなく電線を抜去できる。これにより、簡易な構造で抜去作業が容易に行なえる電線接続コネクタが得られる。
【０００８】
スライダは、ハウジングと同様に合成樹脂からなる射出成形品であってよく、ハウジングと同じ合成樹脂を使用するものであってよい。スライダは移動可能範囲以外への移動がハウジングで規制されていてもよく、移動可能範囲の一方端が付勢力解除位置であって他方端が電線保持位置（芯線保持位置）であってよい。
付勢力解除手段は、切り起こし片に直接作用して付勢力を解除するものであってよく、切り起こし片が切り起こしの基部を起点にしておこなう弾性的円弧運動を利用するものであってよい。また付勢力解除手段は、切り起こし片に間接的に作用して付勢力を解除するものであってよい。
【０００９】
切り起こし片は、芯線の挿入方向に沿って切り起こされていてよく、この場合、挿入方向の前方が可動端となるように切り起こされるのが好ましい。また切り起こし角度は、９０度よりも小さく９０度に近い角度を持っているのが好ましい。この角度範囲にあると、電線の抜け方向に対して鋭角的に当接して咬み込む態様で係合できる。望ましくは６０度以上９０度未満であり、より望ましくは７０度以上９０度未満であり、最も望ましくは７５度以上９０度未満である。切り起こし角度が小さすぎると必要な付勢力が得られず、大きすぎて９０度を越えるとスライダが思うように作動しないおそれが生じる。
【００１０】
さらに好ましくは、本発明の電線接続用コネクタは、（２）前記スライダは前記挿入方向前方へ移動するとき、前記切り起こし片に当接し、前記付勢力解除位置で前記切り起こし片を前記基板側に傾かせる当接部を備えるところに特徴を有する（１）記載のものである。
【００１１】
この発明によれば、スライダは付勢力解除位置で直接当接部によって切り起こし片を傾かせることができる。これにより、簡易な構造で電線の抜去作業が容易に行なえる電線接続コネクタが得られる。
【００１２】
さらに好ましくは、本発明の電線接続用コネクタは、（３）前記電線が前記電線収容室に挿入されるとき、前記スライダは前記後方位置に合わせられ、前記芯線が前記切り起こし片の先端部に当たり、前記先端部の切断面が前記芯線の周面に食い込む態様で弾接するところに特徴を有する（２）記載のものである。
【００１３】
この発明によれば、スライダは後方位置で電線を迎え入れるので、スライダの位置合わせを確実に行なうことができ、そのとき、芯線と切り起こし片との接続は、切り起こし片の先端部の切断面が芯線の周面に食い込む態様である。これにより、切り起こし片の芯線を保持する力が高められるとともに、電気的な接続の信頼性も高められる。
【００１４】
さらに好ましくは、本発明の電線接続用コネクタは、（４）前記電線が前記電線収容室から抜去されるとき、前記スライダは前記挿入方向前方の前記付勢力解除位置に合わせられ、前記スライダに備わる当接部が前記切り起こし片を傾かせ、前記付勢力を解除するところに特徴を有する（２）又は（３）記載のものである。
【００１５】
この発明によれば、スライダは前方位置に付勢力解除位置があるので、スライダを操作するだけで電線をスムーズに抜去できるとともに、電線抜去時のスライダの位置合わせを確実に行なうことができる。
【００１６】
さらに好ましくは、本発明の電線接続用コネクタは、（５）前記スライダは前記挿入方向と反対方向へ移動するとき、前記切り起こし片に当接し、前記付勢力解除位置で前記切り起こし片を前記基板側に傾かせる当接部備えるところに特徴を有する（１）記載のものである。
【００１７】
この発明によれば、スライダを電線挿入方向と反対方向に移動させることによって切り起こし片を傾かせることができる。これにより、簡易な構造で電線の抜去作業が容易に行なえる電線接続コネクタが得られる。
【００１８】
さらに好ましくは、本発明の電線接続用コネクタは、（６）前記電線が前記電線収容室に挿入されるとき、前記スライダは前記前方位置に合わせられ、前記芯線が前記切り起こし片の先端部に当たり、前記先端部の切断面が前記芯線の周面に食い込む態様で弾接するところに特徴を有する（５）記載のものである。
【００１９】
この発明によれば、スライダは前方位置で電線を迎え入れるので、スライダの位置合わせを確実に行なうことができ、そのとき、芯線と切り起こし片との接続は、切り起こし片の先端部の切断面が芯線の周面に食い込む態様である。これにより、切り起こし片の芯線を保持する力が高められるとともに、電気的な接続の信頼性も高められる。
【００２０】
さらに好ましくは、本発明の電線接続用コネクタは、（７）前記スライダはその一部を前記ハウジングの外周面に露出させ、前記スライダの一部を操作部とするところに特徴を有する（１）から（６）のうち一項記載のものである。
【００２１】
この発明によれば、スライダは、その一部がハウジングの外周面に露出しているので、スライダを操作するときの操作性がよくなる。
【００２２】
さらに好ましくは、（８）前記スライダは一つの電線に対して前記挿入方向に沿って筒状に延びる一つの前記芯線収容室を有し、この収容室の基板側の底面に前記切り起こし片が立ち上がり、且つ前記前後方向の移動を可能にするためのスリットを有し、このスリットの前記後方端に前記当接部を備えるところに特徴を有する（２）から（７）のうち一項記載のものである。
【００２３】
この発明によれば、スライダは、切り起こし片が移動可能なスリットを備え、その端部に当接部を備えている。これにより、低背形の電線接続用コネクタが得られる。
【図面の簡単な説明】
【００２４】
【図１】図１は本発明の実施形態に係る電線接続用コネクタを前方から見た外観斜視図である。
【図２】図２は本発明の実施形態に係る電線接続用コネクタを後方から見た外観斜視図である。
【図３】図３は本発明の実施形態に係る電線接続用コネクタと電線とを分解した分解斜視図である。
【図４】図４は図１のＩＶ−ＩＶ線に沿って切断した断面図である。
【図５】図５は図４に示される弾性接触片の外観斜視図である。
【図６】図６は本発明の実施形態に係る電線接続用コネクタのハウジングの外観斜視図である。
【図７】図７は同ハウジングの上面図である。
【図８】図８は同ハウジングの後面図である。
【図９】図９は同ハウジングの前面図である。
【図１０】図１０は本発明の実施形態に係る電線用コネクタのスライダの外観斜視図である。
【図１１】図１１は同スライダの底面図である。
【図１２】図１２は同スライダの後面図である。
【図１３】図１３は同スライダの前面図である。
【図１４】図１４は本発明の実施形態に係る電線接続用コネクタの組み付け図である。
【図１５】図１５は本発明の実施形態に係る電線接続用コネクタのスライダの作用を示す断面図であり、（Ａ）は電線挿入前、（Ｂ）は電線挿入時、（Ｃ）は電線抜去時である。
【図１６】図１６は本発明の実施形態に係る電線接続用コネクタが基板に実装されている外観図である。
【図１７】図１７は別の実施形態に係る電線接続用コネクタの組み付け図である。
【図１８】図１８は同電線接続用コネクタの要部拡大図である。
【図１９】図１９は同電線接続用コネクタのスライダの作用を示す断面図であり、（Ａ）は電線挿入前、（Ｂ）は電線挿入時、（Ｃ）は電線抜去時である。
【発明を実施するための形態】
【００２５】
本発明の実施形態を添付図面に基づいて説明するが、本発明の技術的範囲は、これらの実施形態によって限定されるものではなく、発明の要旨を逸脱しない範囲で実施することができる。図１は本発明の実施形態に係る電線接続用コネクタを前方から見た外観斜視図である。図２は本発明の実施形態に係る電線接続用コネクタを後方から見た外観斜視図である。図３は本発明の実施形態に係る電線接続用コネクタと電線とを分解した分解斜視図である。なお、説明中の指示方向は、断りのない限り図面中で定義する方向指示に従う。また、特許請求の範囲で使用した接続端子は、以下説明で使用する弾性接続片を含むものである。
【００２６】
〈電線接続用コネクタの概要〉
本発明の電線接続用コネクタ１は、図１、図２に示されるように、低背形の表面実装タイプのコネクタで扁平箱状のハウジング１０と、このハウジング１０にスライド可能に収容されるスライダ２０とを備える。ハウジング１０は、プリント配線基板Ｐに接する底面に実装部３３０を露出させ、他方で電線Ｗの芯線Ｗ１に電気的に接続する接続部３２０を備えた弾性接続片３０を底壁１０２で保持している。
【００２７】
電線接続用コネクタ１は、図３に示されるように、電線Ｗが後面から挿抜される。電線Ｗと弾性接続片３０との接続は、芯線Ｗ１が露出した電線Ｗを、電線挿入口１１１からその奥にある電線収容室１１２まで挿入して行なわれる。電線Ｗの接続解除にともなう抜去は、電線Ｗを電線挿入口１１１からスライダ２０を操作して引き抜くことで行なわれる。電線Ｗを接続するときはスライダ２０を後方の芯線接続位置に合わせ、電線Ｗを抜去するときはスライダ２０を前方の付勢力解除位置に合わせることで、容易に電線Ｗの抜去が行なえるものである。なお、芯線Ｗ１は比較的太さのある単線であってもよく、細い複数の線の撚り線であってもよい。
【００２８】
〈ハウジング〉
ハウジング１０について図面に基づいて説明する。図４は図１のＩＶ−ＩＶ線に沿って切断した断面図である。図６は本発明の実施形態に係る電線接続用コネクタのハウジングの外観斜視図である。図７は同ハウジングの上面図である。図８は同ハウジングの後面図である。図９は同ハウジングの前面図である。
【００２９】
ハウジング１０は、図６に示されるように、内部に中空部分を有する箱体の本体１１０と、その左右側面にスライド部１３０とを備える、合成樹脂の射出成形品である。ハウジング本体１１０は、上壁１０１、底壁１０２、左右側壁１０３、１０４、前壁１０５、及
び後壁１０６からなる箱体である。上壁１０１、底壁１０２、左右側壁１０３、１０４は平坦で、左右側壁１０３、１０４には中央から前端にかけてスライド部１３０、１３０が備わる。また、後壁１０６には円形の電線挿入口１１１、１１１が備わり、前壁１０５には矩形のスライダ挿入口１１３が備わる。電線挿入口１１１の奥（前方）には、図４に示されるように、電線収容室１１２があり、スライダ挿入口１１３の奥（後方）にはスライダ収容室１１４がある。電線収容室１１２と、スライダ収容室１１４との間には縦壁１０７があり、この縦壁１０７には芯線Ｗ１を通すための芯線通過孔１１５が穿設されている。
【００３０】
電線収容室１１２は、図４、図８に示されるように、電線挿入口１１１に連設される断面円形の筒状空間である。電線収容室１１２の前方の突き当りには縦壁１０７が備わる。電線挿入口１１１から挿入された電線Ｗは、その切断面（端面）を縦壁１０７の後面に当てて正規挿入位置を得る。このとき電線Ｗの中心から前方に延びる芯線Ｗ１は、縦壁１０７に前後方向に穿設された芯線通過孔１１５に通され、スライダ収容室１１４に進入している。このように芯線Ｗ１の必要挿入量は、電線Ｗの端面が縦壁１０７の後面に突き当たるまで押し切ることによって得られる。
【００３１】
電線収容室１１２は、図４に示されるように、断面円形の筒状でその直径は電線Ｗの直径に比べてクリアランス分だけ僅かに大きい。また電線Ｗは電線収容室１１２内でその周面に僅かなクリアランスを有し不動状態で電線収容室１１２内に収まる。縦壁１０７に穿設された芯線通過孔１１５は芯線Ｗ１の直径に比べて大きく、芯線Ｗ１の通過を妨げない。
【００３２】
スライダ収容室１１４は、図４、図９に示されるように、スライダ挿入口１１３に連接される断面矩形の筒状空間であり、間に仕切壁１０８が備わる。スライダ収容室１１４の後方の突き当りには縦壁１０７が備わる。縦壁１０７は、スライダ２０の後方への動きを規制する。スライダ収容室１１４は、スライダ２０の外形に比べて僅かに大きく、スライダ２０はスライダ収容室１１４の内周面に案内されるようにしてスライダ収容室１１４内を前後方向にスライドする。縦壁１０７に穿設された芯線通過孔１１５は、スライダ収容室１１４に連通する。
【００３３】
スライド部１３０は、図６、図８、図９に示されるように、ハウジング本体１１０の左右側面の中央から前端にかけて備わる、断面コの字のブロックである。スライド部１３０は、外に開口部を向け前後方向に亘るスライド溝１３１を備えている。スライド部１３０はスライダ２０の操作部２２０を案内し、スライダ２０の動きを規制するとともに、その操作を容易化する。
【００３４】
〈スライダ〉
スライダ２０について図面に基づいて説明する。図１０は本発明の実施形態に係る電線用コネクタのスライダの外観斜視図である。図１１は同スライダの底面図である。図１２は同スライダの後面図である。図１３は同スライダの前面図である。
【００３５】
スライダ２０は、図１０に示されるように、扁平箱状の本体２１０と、その左右両側に離間して備わる操作部２２０とを備えている。本体２１０と操作部２２０とは、本体２１０前面にあるフランジ２３０で連なる。本体２１０は、筒状の単体２１０ａを離間して備える。単体２１０ａは、上壁２０１、底壁２０２、左右側壁２０３、２０４、前壁２０５、及び後壁２０６からなり、上壁２０１、底壁２０２、及び左右側壁２０３、２０４は平坦である。後壁２０６には芯線挿入口２１１が備わり、芯線挿入口２１１の奥（前方）には、図４に示されるように、芯線収容室２１２が連設されている。芯線挿入口２１１は、芯線通過孔１１５を通過した芯線Ｗ１がスライダ２０内部の芯線収容室２１２に進入する
ための入口である。
【００３６】
芯線収容室２１２は、図４に示されるように、芯線通過孔１１５を通過した芯線Ｗ１を収容するための空間であり、芯線Ｗ１を収容するための大きさを備えている。芯線収容室２１２の上面（上壁２０１の下面）は芯線Ｗ１の形状に対応した曲面で、芯線Ｗ１の進入を妨げないだけのクリアランスが、芯線Ｗ１との間に備わる。また上壁２０１の下面は、芯線Ｗ１を接続保持する際一方の挟持片の機能も有し、そのために、クリアランスは必要最小限に設けるのが好ましい。
【００３７】
底壁２０２には、図１１に示されるように、前後方向に延びるスリット２１３が備わり、スリット２１３の後端を画成する底壁２０２には弾性接続片３０に当接しこれを変形させるための当接部２１４が備わる。スリット２１３は、芯線収容室２１２の底面（下面）に連通し、フランジ２３０（前壁２０５）の壁面まで延びている。スリット２１３は、組み付け時、弾性接続片３０の切り起こし片３２２が移動するための空間であり、そのために必要な幅と長さを備えている。スリット２１３の後端を画成する当接部２１４は、スライダ２０の操作時、切り起こし片３２２に当接するところである。フランジ２３０には、図１３に示されるように、芯線収容室２１２に連通する開口部２３１が備わる。開口部２３１の下端は、スリット２１３に連通している。組み付け時この開口部２３１を通して弾性接続片３０が組み付けられる。
【００３８】
〈弾性接続片〉
弾性接続片３０について図面に基づいて説明する。図５は図４に示される弾性接触片の外観斜視図である。
弾性接続片３０は、図５に示されるように、剛性を備えた板状金属の折り曲げ加工品で、芯線Ｗ１に付勢力を持って接続するものである。弾性接続片３０は、前後方向に延びる基部３１０、その前端及び後端から延びる実装部３３０、基部３１０の中央部から切り起こされた接続部３２０を備えている。接続部３２０は、基部３１０と同じ平面上に広がる支持部３２１と、その前端から上方に立ち上がる切り起こし片３２２とを備えている。さらに基部３１０の左右側部にはハウジング１０に圧入固定される固定部３１１を備えている。
【００３９】
切り起こし片３２２は、９０度よりも小さいが９０度近い角度を持って切り起こされている。切り起こし片３２２の先端は切断面で角部を含む接続保持部３２３が形成されている。切り起こし片３２２は、電線Ｗの抜け方向に対して鋭角的に当接し、電線Ｗの抜けを抑制する。切り起こし片３２２は、切り起こし線３２２ａを支点（線）にして円弧状に弾性的に変位可能である。実装部３３０は、基部３１０に対して一段低い位置で広がるように連結部に段差が設けられている。実装部３１０は、その下面でプリント配線基板Ｐに接しパッドに対して半田で接続される。
【００４０】
弾性接続片３０は、図４に示されるように、ハウジング１０の底壁１０２に備わる圧入部で固定部３１１が保持され、切り起こし片３２２が上方に向く姿勢で固定される。このとき実装部３３０は、ハウジング１０の底壁１０２の前端部及び後端部にあり、やや基板側に張り出した状態で位置している。本実施形態では、実装部３３０は接続強度のバランスを考慮してハウジング１０の前端及び後端に備わる。
【００４１】
〈組み付け〉
電線接続用コネクタ１の組み付けについて図面に基づいて説明する。図１４は本発明の実施形態に係る電線接続用コネクタの組み付け図である。
スライダ２０は、図１４に示されるように、ハウジング１０の前面にあるスライダ挿入口１１３からスライダ収容室１１４に組み付けられる。スライダ２０は、芯線挿入口２１
１をハウジング１０に向けて組み付けられる。スライダ２０は、スライダ収容室１１４内を前後方向にスライド可能にクリアランスをもって組み付けられる。スライダ２０は、不用意な力が作用してもハウジング１０から抜けないように、ハウジング１０との間に抜け止めが備わる。
【００４２】
弾性接触片３０は、図１４に示されるように、ハウジング１０の前面から組み付けられる。基部３１０の側面から連なる固定部３１１がハウジング１０の底壁１０２に備わる固定部に係合することで固定される。切り起こし片３２２は、上方に立ち上がり、実装部３３０、３３０は、底壁１０２から露出する。弾性接触片３０の組み付けの際、切り起こし片３２２は、すでに組み付けられているスライダ２０の底壁２０２にあるスリット２１３を通して組み付けられる。
このようにして、ハウジング１０、スライダ２０、及び弾性接触片３０が一体的に組み付けられて電線接続用コネクタ１が得られる。
【００４３】
〈作用〉
スライダ２０の作用について説明する。図１５は本発明の実施形態に係る電線接続用コネクタのスライダの作用を示す断面図であり、（Ａ）は電線挿入前、（Ｂ）は電線挿入時、（Ｃ）は電線抜去時である。
【００４４】
電線接続用コネクタ１に電線Ｗを接続するときは、図１５の（Ａ）に示されるように、端部の芯線Ｗ１が露出した状態の電線Ｗを電線接続用コネクタ１後面の電線挿入口１１１から挿入する。このとき、スライダ２０の位置は、後方への押し切り位置（芯線接続位置）にあり、フランジ２３０或いはスライダ２０の後壁２０６がハウジング１０の前壁１０５或いは縦壁１０７に当接している。スライダ２０が芯線接続位置にあるとき、スライダ２０底壁２０２のスリット２１３を通して弾性接続片３０の切り起こし片３２２が立ち上がる。このとき切り起こし片３２２は、当初の切り起こし角度である９０度近い角度のまま立ち上がる。
【００４５】
電線Ｗをさらに奥まで挿入し続けると、図１５の（Ｂ）に示されるように、その途中で、芯線Ｗ１の先端が切り起こし片３２２の後面に当たる。この位置から挿入作業に切り起こし片３２２による挿入抵抗がかかるようになる。このとき芯線Ｗ１は、切り起こし片から上向きの力を受けてスライド２０上壁２０１に摺接しながら進む。これにより、これが支えになって倒れ込みが防がれている。切り起こし片３２２の傾きが増すように電線Ｗをさらに挿入し続けると、切り起こし片３２２の先端の接続保持部３２３が芯線Ｗ１の周面に係りはじめる。その状態のまま電線Ｗを押し切り位置まで挿入し続ける。
【００４６】
電線Ｗの正規挿入位置で、接続保持部３２３は、切断面の鋭利な角部を芯線Ｗ１周面に係合させるので、切り起こし片３２２の弾性的変形による付勢力が係合部に集中する。これにより、電線Ｗが抜ける方向の力に対して接続保持部３２３は芯線Ｗ１を咬み込む態様で保持する。このようにスライダ２０の芯線保持位置で、切り起こし片３２２は電線Ｗの抜けを防ぐように芯線Ｗ１を保持するとともに、芯線Ｗ１に電気的に接続する。
【００４７】
電線接続用コネクタ１から電線Ｗを抜去するときは、図１５の（Ｃ）に示されるように、スライダ２０をスライド可能範囲の前端にある付勢力解除位置に合わせる。このスライダ２０の操作によって、そのスライド過程で、芯線Ｗ１に係合していた切り起こし片３２２が復元力を蓄えながら徐々に倒れこみ、スライダ２０が付勢力解除位置近くになると、ついには係合が解かれる。これにより、電線Ｗを保持する力はなくなるので電線Ｗは容易に抜去できるようになる。
【００４８】
電線Ｗが抜去された電線接続用コネクタ１は、スライダ２０が芯線接続位置に合わせら
れる。これにより、切り起こし片３２２は、蓄積された復元力を開放し元の立ち上がった姿勢に戻り、再び電線Ｗの挿入を待ち受ける態勢をとる。
【００４９】
〈使用例〉
本実施形態に係る電線接続用コネクタの使用例を図１６に示す。図１６は本発明の実施形態に係る電線接続用コネクタが基板に実装されている外観図である。
細長いプリント配線基板Ｐには、ＬＥＤが整列配置され、端部に本実施形態に係る電線接続用コネクタ１が搭載されている。電線Ｗはプリント配線基板Ｐ面に平行に挿抜され、プリント配線基板Ｐの延びる方向に沿って行なわれる。電線挿抜操作は狭い場所での作業が強いられるので、スライダ２０の操作だけで電線Ｗを容易に挿抜できる本実施形態に係る電線接続用コネクタ１は作業性向上に貢献する。さらに、スライダ操作による芯線接続位置及び付勢力解除位置ともにスライダの可動範囲の両端部に位置するので、視認作業が困難な環境においても電線の挿抜操作が比較的容易に行なえる。
【００５０】
〈効果〉本実施形態では、以下に示す効果を得ることができる。
・本実施形態に係る電線接続用コネクタ１は、付勢力解除手段を備えたスライダ２０を備える。これによりスライダ２０の操作によって容易に電線Ｗの抜去がおこなえる。
・本実施形態に係る電線接続用コネクタ１は、スライダ２０に操作部２２０が備わる。これにより、スライダ２０の操作が容易におこなえる。
・本実施形態に係る電線接続用コネクタ１は、電線Ｗの直径と略同じ高さからなるスライダ２０を電線Ｗ挿入方向に備える。これにより、スライダ２０はコネクタ１の低背化を妨げない。
【００５１】
・本実施形態に係る電線接続用コネクタ１は、芯線Ｗ１の電気的接続、及び保持を弾性接続片３０の切り起こし片３２２によっておこなう。これにより、簡易な構造で電線Ｗの接続構造が得られる。
・本実施形態に係る電線接続用コネクタ１は、小型低背形なので、ＬＥＤが搭載されたプリント配線基板Ｐに射光の妨げにならないように実装することができる。
・本実施形態に係る電線接続用コネクタ１は、電線Ｗの正規挿入位置で、接続保持部３２３は、切断面の鋭利な角部を芯線Ｗ１周面に係合させるので、切り起こし片３２２の弾性的変形による付勢力が係合部に集中する。これにより、電線Ｗが抜ける方向の力に対して接続保持部３２３は芯線Ｗ１を咬み込む態様で保持することができる。
【００５２】
以上、本発明を実施形態に基づいて説明したが、本発明は、上述した実施形態に限られるものではなく、発明思想の範囲内で種々の変更が可能である。別の実施形態について図面を参照しつつ説明する。図１７は別の実施形態に係る電線接続用コネクタの分解図である。図１８は別の実施形態に係る電線接続用コネクタの要部拡大図である。図１９は別の実施形態に係る電線接続用コネクタのスライダの作用を示す断面図であり、（Ａ）は電線挿入前、（Ｂ）は電線挿入時、（Ｃ）は電線抜去時である。なお、先に説明した実施形態と同じ構造のものには同じ符号を付し、変更がある構造には新たな符号を付す。また、重複する説明を避けるために、別の実施形態の特徴部分のみ説明を加える。
【００５３】
〈別の実施形態〉
ハウジング１０１０は、図１７、図１８に示されるように、下方から弾性接続片１０３０が組まれ、後方からスライダ１０２０が組まれる。ハウジング１０１０は、左右の電線収容室１１１２及びスライダ収容室１１１４が仕切壁１１０８で仕切られている。電線Ｗは後壁１１０６の電線挿入口１１１１から挿入される。電線収容室１１１２には、弾性接続片１０３０の切り起こし片１３２２が電線挿入方向と略直交する方向に臨んでいる。スライダ１０２０は、左右側壁１１０３、１１０４外面、および上壁１１０１外面に内周面を摺接させながら前後方向に沿ってスライドする。
【００５４】
弾性接続片１０３０は、水平方向に広がる基部１３１０の前方に実装部１３３０を備え、後方に接続部１３２０を備える。接続部１３２０は、湾曲して前方に延び、基部１３１０の上方で切り起こし片１３２２を９０度近い角度で立ち上げる。切り起こし片１３２２の先端は、切断面からなる接続保持部１３２３を備えている。接続保持部１３２３は鋭利な角部を有し、この角部で芯線Ｗ１を接続保持する。切り起こし片１３２２は、左右に切り起こし補助片１３２２ｂを備える。切り起こし補助片１３２２ｂは、先端に湾曲部を備えた当たり代で、スライダ１０２０に備わる当接部１２１４と当接するところである。当接の有無によって切り起こし片１３２２を上下に変位させる。
【００５５】
スライダ１０２０は、ハウジング１０１０内を前後方向に沿ってスライド可能である。スライダ１０２０は前方位置が電線保持位置であり、後方位置が付勢力解除位置である。前方位置にあるとき、図１８に示されるように、当接部１２１４は切り起こし補助片１３２２ｂの手前に位置し、切り起こし片１３２２は上方に立ち上がった状態である。後方位置にあるとき、当接部１２１４は切り起こし補助片１３２２ｂに当たり、これを沈み込ませる。これにより、切り起こし片１３２２は下方に変位する。
【００５６】
電線Ｗの挿抜は、図１９に示されるように、電線Ｗを挿入するとき、スライダ１０２０を前方の電線保持位置に合わせ、電線Ｗを抜去するとき、スライダ１０２０を後方の付勢力解除位置に合わせる。このようにスライダ１０２０を操作することによって電線Ｗを無理なく挿抜できる。
このように構成した場合も、上述した効果が概ね得られる。
【符号の説明】
【００５７】
１        電線接続用コネクタ
１０、１０１０      ハウジング
１０１    上壁
１０２    底壁
１０３、１０４    側壁
１０５    前壁
１０６    後壁
１０７    縦壁
１０８    仕切壁
１１０    本体
１１１    電線挿入口
１１２    電線収容室
１１３    スライダ挿入口
１１４    スライダ収容室
１１５    芯線通過孔
１２０    弾性接続片  固定部
１３０    スライド部
１３１    スライド溝
２０、１０２０      スライダ
２０１    上壁
２０２    底壁
２０３、２０４    側壁
２０５    前壁
２０６    後壁
２１０    本体
２１０ａ  単体
２１１    芯線挿入口
２１２    芯線収容室
２１３    スリット
２１４、１２１４    当接部
２２０    操作部
２３０    フランジ
２３１    開口部
３０、１０３０      弾性接続片
３１０    基部
３１１    固定部
３２０    接続部
３２１    支持部
３２２、１３２２    切り起こし片
３２２ａ  切り起こし線
３２３    接続保持部
３３０    実装部
Ｗ        電線
Ｗ１      芯線
Ｐ        プリント配線基板
【図１】
2014044926.tif 000003
【図２】
2014044926.tif 000004
【図３】
2014044926.tif 000005
【図４】
2014044926.tif 000006
【図５】
2014044926.tif 000007
【図６】
2014044926.tif 000008
【図７】
2014044926.tif 000009
【図８】
2014044926.tif 000010
【図９】
2014044926.tif 000011
【図１０】
2014044926.tif 000012
【図１１】
2014044926.tif 000013
【図１２】
2014044926.tif 000014
【図１３】
2014044926.tif 000015
【図１４】
2014044926.tif 000016
【図１５】
2014044926.tif 000017
【図１６】
2014044926.tif 000018
【図１７】
2014044926.tif 000019
【図１８】
2014044926.tif 000020
【図１９】
2014044926.tif 000021